(57)【特許請求の範囲】
【請求項１】
蓋体の隅部に貫通孔を設けるとともにこの貫通孔に沿って前記蓋体に支持筒を突設し、この支持筒に操作軸を回動可能に貫通させ、この操作軸の下端にロック部材を設け、且つ、この操作軸の頂部に有低穴部を設けるとともにこの有低穴部の底部に操作穴を設け、前記有低穴部にシリンダ錠を着脱可能に嵌挿可能にするとともにこのシリンダ錠を外し、前記操作穴に操作ハンドルを嵌挿して前記操作軸を回動させることによって前記ロック部材を揺動させる蓋体のロック機構用セキュリティ装置において、  
前記ロック部材が解錠の状態では前記シリンダ錠が前記有低穴部に侵入不可能にするとともに前記ロック部材が施錠の状態では前記シリンダ錠が前記有低穴部に侵入可能としたことを特徴とする蓋体のロック機構用セキュリティ装置。
【請求項２】
蓋体の隅部に貫通孔を設けるとともにこの貫通孔に沿って前記蓋体に支持筒を突設し、この支持筒に操作軸を回動可能に貫通させ、この操作軸の下端にロック部材を設け、且つ、この操作軸の頂部に有低穴部を設けるとともにこの有低穴部の底部に操作穴を設け、前記有低穴部にシリンダ錠を着脱可能に嵌挿可能にするとともにこのシリンダ錠を外し、前記操作穴に操作ハンドルを嵌挿して前記操作軸を回動させることによって前記ロック部材を揺動させる蓋体のロック機構用セキュリティ装置において、  
前記支持筒の内壁面を斜面状に形成するとともに前記ロック部材が解錠の状態から施錠の状態に向かって回動する際に前記操作軸との間の隙間が隙間が広くなるようにカム面状にし、且つ、前記操作軸における有低穴部の側壁部に前記支持筒の斜面状の内壁面に略垂直方向に外側方向に傾斜する透孔を設けるとともにこの透孔にカムロッド部材を進退可能に嵌挿し、このカムロッド部材は、前記ロック部材が解錠の状態ではその外端が前記支持筒の斜面状の内壁面に押されて前記有低穴部の内側に突出し、且つ、前記ロック部材が施錠の状態ではその内端が自重によって外側に押されて前記支持筒との間の前記隙間に突出することを特徴とする蓋体のロック機構用セキュリティ装置。
【発明の詳細な説明】
【技術分野】
【０００１】
この発明は蓋体のロック機構用セキュリティ装置に関し、例えば、マンホール用蓋におけるロック機構用セキュリティ装置として使用されるものである。
【背景技術】
【０００２】
従来のマンホール用蓋は、図７に示すように、マンホール蓋体20の貫通孔22に操作軸40を回動可能に貫通させるとともにこの操作軸40の下端にロック部材50を設け、且つ、この操作軸40の頂部に有低穴部45を設けるとともにこの有低穴部45の底部に操作穴46を設け、この操作穴46に操作ハンドル60を嵌挿して前記操作軸40を回動させることによって、前記ロック部材50をマンホール枠10の係止部11に係止したり、解除したりするものであり、前記ハンドル60操作をしない場合には前記有低穴部45にシリンダ錠Ｓを着脱可能に嵌挿して、このロック機構のセキュリティを図っていた。
【０００３】
【特許文献１】特開平１１−１０７３０４号公報
【特許文献２】実開昭６２−０２６４５７号公報
【発明の開示】
【発明が解決しようとする課題】
【０００４】
しかしながら、かかる従来のセキュリティ装置にあっては、前記シリンダ錠が、前記ロック部材の状態（施錠・解錠の状態）にかかわらず、単に前記有低穴部を埋めるためのものであったため、解錠の状態でシリンダ錠を取り付けてしまう場合があり、セキュリティの意味が失われるおそれがあるという不都合を有した。特に、前記操作穴は地面よりも低い位置にあるため、暗い場合には操作穴の向きがわかりにくくロックの状態がわかりにくい結果、この不都合は顕著にあらわれるものであった。
【０００５】
この発明の課題はこの不都合を解消することである。
【課題を解決するための手段】
【０００６】
この課題を達成するために、この発明に係る蓋体のロック機構用セキュリティ装置においては、蓋体の隅部に貫通孔を設けるとともにこの貫通孔に沿って前記蓋体に支持筒を突設し、この支持筒に操作軸を回動可能に貫通させ、この操作軸の下端にロック部材を設け、且つ、この操作軸の頂部に有低穴部を設けるとともにこの有低穴部の底部に操作穴を設け、前記有低穴部にシリンダ錠を着脱可能に嵌挿可能にするとともにこのシリンダ錠を外し、前記操作穴に操作ハンドルを嵌挿して前記操作軸を回動させることによって前記ロック部材を揺動させる蓋体のロック機構用セキュリティ装置において、  前記ロック部材が解錠の状態では前記シリンダ錠が前記有低穴部に侵入不可能にするとともに前記ロック部材が施錠の状態では前記シリンダ錠が前記有低穴部に侵入可能としたものである。
【０００７】
また、具体的に、前記支持筒の内壁面を斜面状に形成するとともに前記ロック部材が解錠の状態から施錠の状態に向かって回動する際に前記操作軸との間の隙間が隙間が広くなるようにカム面状にし、且つ、前記操作軸における有低穴部の側壁部に前記支持筒の斜面状の内壁面に略垂直方向に外側方向に傾斜する透孔を設けるとともにこの透孔にカムロッド部材を進退可能に嵌挿し、このカムロッド部材は、前記ロック部材が解錠の状態ではその外端が前記支持筒の斜面状の内壁面に押されて前記有低穴部の内側に突出し、且つ、前記ロック部材が施錠の状態ではその内端が自重によって外側に押されて前記支持筒との間の前記隙間に突出するようにすることもできる。
【発明の効果】
【０００８】
この発明に係る蓋体のロック機構用セキュリティ装置（請求項１）は上記のように構成されているため、前記ロック部材が解錠の状態ではシリンダ錠を前記有低穴部（操作軸の）へ嵌挿することはできず、施錠の状態のときのみ前記有低穴部（操作軸の）へ嵌挿することができる。
【０００９】
よって、この蓋体のロック機構用セキュリティ装置を使用すれば、前記シリンダ錠は、前記ロック部材が施錠の状態のときに限り前記有低穴部を埋めることができるため、従来のように、解錠の状態でシリンダ錠を取り付けることはなく、セキュリティの意味が失われることはないものである。特に、付近が暗い場合において操作穴の向きがわかりにくい場合にこの効果は顕著にあらわれる。
【００１０】
また、具体的構成（請求項２）として、上記のように構成すれば、前記ロック部材が解錠の状態ではシリンダ錠がカムロッド部材の突出部（内端）によって前記有低穴部（操作軸の）への嵌挿を邪魔され、又、施錠の状態では前記シリンダ錠がカムロッド部材を外側へ押し出しながら前記有低穴部（操作軸の）へ嵌挿することができるものである。
【発明を実施するための最良の形態】
【００１１】
操作軸における有低穴部の側壁部に支持筒の斜面状の内壁面に略垂直方向に外側方向に傾斜する透孔を設けるとともにこの透孔にカムロッド部材を進退可能に嵌挿し、このカムロッド部材は、ロック部材が解錠の状態ではその外端が前記支持筒の斜面状の内壁面に押されて前記有低穴部の内側に突出し、且つ、ロック部材が施錠の状態ではその内端が自重によって外側に押されて前記支持筒との間の前記隙間に突出するようにすることが必要である。
【実施例１】
【００１２】
以下、この発明の実施例として、マンホール蓋を取り上げ説明する。
図１はこの発明に係る蓋体のロック機構用セキュリティ装置の施錠状態の断面図、図２は図１におけるII−II線断面図、図３はこの発明に係る蓋体のロック機構用セキュリティ装置の施錠状態の斜視図、図４はこの発明に係る蓋体のロック機構用セキュリティ装置の解錠状態の断面図、図５は図４における V− V線断面図、図６は操作ハンドルの正面図である。
【００１３】
図１〜図５において、10はマンホール枠，20はこの枠10に嵌められたマンホール蓋である。
【００１４】
21は凹部であり、前記マンホール蓋20の天面隅部に形成されている。この凹部21は前記マンホール蓋20の下方に突出している。22は貫通孔であり、前記凹部21の底面に形成され、この貫通孔22の裏面には嵌挿取付部23が形成されている。
【００１５】
30は支持筒であり、前記嵌挿取付部23に回動不可能な状態で嵌めこまれている。この支持筒30と前記貫通孔22とは各軸心を同一にしている。なお、31は底孔であり、この支持筒30の底部に形成されている。
【００１６】
40は操作軸であり、回動可能な状態で、前記貫通孔22を貫通し、前記支持筒30に内嵌めされた状態でその底孔31を貫通し、下方に突出している。この操作軸40は前記支持筒30に対して回動可能である（支持筒30は固定されている）。
【００１７】
41は操作軸40の上端部に形成されたフランジ部であり、操作軸40の下方への抜け落ちを防止している。なお、43はこのフランジ部41と前記凹部21の底面との間に介在する板バネである。
【００１８】
50はロック部材であり、前記操作軸40の下端部にナット51によって抜け落ちないように螺子止めされている。また、このロック部材50は、前記操作軸40と一体的に回動できるように操作軸40にビス（図示せず）止めされている。このため、このロック部材50は前記操作軸の回動に伴って係止突起52を左右に揺動させ、前記マンホール枠10の係止部11の下方に位置したり（施錠の状態）、そこから外す方向に移動したりすることができる（解錠の状態）。
【００１９】
次に、45は有低穴部であり、前記操作軸40の頂部に形成されている。この有低穴部45にはシリンダ錠Ｓが着脱可能に内嵌めされる。即ち、シリンダ錠Ｓはそれ自身をロックした場合にこの有低穴部45に固定され、解除した場合に外すことができる。
【００２０】
46は操作穴であり、前記有低穴部45の底部に形成されている。この操作穴46は、前記操作軸40を回動させる際に、図６に示される操作ハンドル60の先端部61を嵌挿する部分である。
【００２１】
なお、47は軸孔であり、前記操作穴46の底面に形成され、前記操作軸40の下端まで達している。この軸孔47は、前記操作穴46に侵入した雨水等の水抜きをするためのものてある。
【００２２】
また、90は前記有低穴部45の蓋体であり、磁性体で形成されている。
【００２３】
70はカム面であり、前記支持筒30の内壁面に形成されている。このカム面70は、前記支持筒30の内壁面を斜面状（内方向に向かって下がり傾斜状）に形成され、前記ロック部材50が解錠の状態（図５を参照のこと）から施錠の状態（図２を参照のこと）に向かって移動する際に前記操作軸40との間に漸次隙間Ａが広くなるように外側にできるように突出した湾曲状（図２を参照のこと）をしている。
【００２４】
また、48は透孔であり、前記操作軸40における有低穴部45の側壁部に形成されている。この透孔48は、前記支持筒30のカム面（斜面状の内壁面）70に略垂直方向に外側に向かって傾斜している。49は係止突条であり、前記透孔48の下面に形成されている。
【００２５】
80は板状のカムロッド部材であり、前記透孔48に進退可能に嵌挿されている。このカムロッド部材80は自重によって前記支持筒30のカム面（斜面状の内壁面）70に当接している。このため、前記ロック部材50が施錠の状態であるとき、即ち，透孔48の外側の隙間Ａが大きいときは（図１および図２の状態）、前記カムロッド部材80は自重によって前記隙間Ａ方向に移動して前記透孔48内に埋没する結果、前記シリンダ錠Ｓは前記有低穴部45に嵌着される。この後、このシリンダ錠Ｓをロックすれば、前記ロック部材50を施錠の状態でこの有低穴部45を塞ぐことができる（図１の状態を参照のこと）。
【００２６】
なお、82はカムロッド部材80の下端突起であり、前記係止突条49に係止して、前記カムロッド部材80が前記有低穴部45側に抜け落ちるのを防止している。
【００２７】
また、前記ロック部材50を施錠の状態から解錠する場合には、まず、前記シリンダ錠Ｓのロックを解除して、このシリンダ錠Ｓを前記有低穴部45から抜き取る。そして、前記有低穴部45の操作穴46に、操作ハンドル60の先端部61を嵌挿し、時計方向（図２，図５において）回転させ、前記ロック部材50の係止突起52を前記マンホール枠10の係止部11の下方から外れるように移動させればよい。この際、操作軸40の回転にしたがって、外側に突出した前記カムロッド部材80はその外端が前記支持筒40のカム面70に沿って隙間Ａの狭い部分に移動し、前記有低穴部45の内側に突出する（図４および図５の状態）。この状態になると、この突出部が邪魔をしてシリンダ錠Ｓを前記有低穴部45に嵌挿させることができなくなるため、従来のように、解錠の状態でシリンダ錠Ｓを取り付けるという不手際は防止することができる。
【００２８】
また、前記ロック部材50を解錠の状態から施錠する場合には、前記有低穴部45の操作穴46に、操作ハンドル60の先端部61を嵌挿し、反時計方向（図２，図５において）回転させ、前記ロック部材50の係止突起52を前記マンホール枠10の係止部11の下方に位置するようにすればよい。この際、前記有低穴部45の内側に突出していた前記カムロッド部材80はそのままの状態で外側に隙間Ａが広くなる位置に達する（図２参照のこと）。この位置に達すると同時に前記カムロッド部材80は自重によって前記隙間Ａ方向に移動して前記透孔48内に埋没する結果、前記シリンダ錠Ｓは前記有低穴部45に嵌着される。この後、このシリンダ錠Ｓをロックすれば、前記ロック部材50が施錠の状態でこの有低穴部45を塞ぐことができセキュリティを完全にすることができる（図１の状態を参照のこと）。
【００２９】
なお、前記操作ハンドル60において、62は磁石部であり、前記有低穴部45の蓋体90
を吸引して取り外す際に使用するものである。
【産業上の利用可能性】
【００３０】
前記シリンダ錠を、前記ロック部材が施錠の状態のときに限り前記有低穴部を埋めることができるため、従来のように、解錠の状態でシリンダ錠を取り付けることはない。蓋体におけるロック機構のセキュリティを完全にするために利用できる。
【図面の簡単な説明】
【００３１】
【図１】この発明に係る蓋体のロック機構用セキュリティ装置の施錠状態の断面図である。
【図２】図１におけるII−II線断面図である。
【図３】この発明に係る蓋体のロック機構用セキュリティ装置の施錠状態の斜視図である。
【図４】この発明に係る蓋体のロック機構用セキュリティ装置の解錠状態の断面図である。
【図５】図４における V− V線断面図である。
【図６】操作ハンドルの正面図である。
【図７】図１に相当する従来例の断面図である。
【符号の説明】
【００３２】
10  …  マンホール枠
20  …  マンホール蓋
21  …  凹部
22  …  貫通孔
23  …  嵌挿取付部
30  …  支持筒
31  …  底孔
40  …  操作軸
41  …  フランジ部
43  …  フランジ部
45  …  有低穴部
46  …  操作穴
47  …  軸孔
48  …  透孔
49  …  係止突条
50  …  ロック部材
51  …  ナット
52  …  係止突起
60  …  操作ハンドル
61  …  先端部（操作ハンドルの）
62  …  磁石部
70  …  カム面
80  …  カムロッド部材
82  …  下端突起
90  …  蓋体（有低穴部の）
Ａ  …  隙間
Ｓ  …  シリンダ錠
【図１】
0004662156.tif 000002
【図２】
0004662156.tif 000003
【図３】
0004662156.tif 000004
【図４】
0004662156.tif 000005
【図５】
0004662156.tif 000006
【図６】
0004662156.tif 000007
【図７】
0004662156.tif 000008